(57)【要約】【課題】フランジ部及びフランジ部の墨塗りに対して配慮し、より歪みの少ないプラスチックレンズが製造でき、フランジ部の墨塗り状態を適切な品位に保つ。【解決手段】図６（ａ）のプラスチックレンズ成形工程において、可動型７１と固定型７２が閉じた状態で、ゲートから金型７０の内部に樹脂が注入される。可動型７１と固定型７２の境界（パーティング面）が、物体側フランジ面５３側の端部近傍に位置する。次の図６（ｂ）の型開き工程において、可動型７１と固定型７２が分離する。更に、図６（ｃ）の押し出し工程において、可動型７１のエジェクタピン７４がエジェクタピン当接部６４で第２レンズ２２を押し出し可動型７１から分離させる。パーティング面の対応位置で、パーティングライン５８ａが形成される。エジェクタピン当接部６４は、その対向する位置がフランジ部５２の物体側フランジ面５３となっている。【選択図】図６
2019012112.tif 000002
【特許請求の範囲】
【請求項１】
鏡筒の物体側から像側に向かって圧入され保持される、固定型及び可動型を備える金型を用いて成形するプラスチックレンズの製造方法であって、
前記プラスチックレンズは、レンズ面と、前記レンズ面を囲うフランジ部とを備え、
前記フランジ部の像側面には、墨塗り部と、前記墨塗り部よりも外周側に形成された外周部とを備え、
前記プラスチックレンズの物体側レンズ面を成形する固定型と、前記プラスチックレンズの像側レンズ面及びフランジ部を成形する可動型と、を用いてプラスチックレンズを成形するプラスチックレンズ成形工程と、
前記プラスチックレンズ成形工程の後、前記可動型を可動させて型開きする型開き工程と、
前記型開き工程時、または前記型開き工程後、前記可動型に配置されたエジェクタピンによって前記外周部を押し出す押し出し工程と、
を備えることを特徴とするプラスチックレンズの製造方法。
【請求項２】
前記可動型と前記固定型の境界は、前記プラスチックレンズの前記鏡筒へ圧入される部分よりも圧入反対側になるように設定されていることを特徴とする請求項１に記載のプラスチックレンズの製造方法。
【請求項３】
前記フランジ部の前記像側面において前記エジェクタピンが当接する領域は、前記フランジ部において対向する物体側面であることを特徴とする請求項１または２に記載のプラスチックレンズの製造方法。
【発明の詳細な説明】
【技術分野】
【０００１】
本発明は、複数のレンズとそれらを保持する鏡筒とを備えるレンズユニットに用いられ、鏡筒に圧入されるプラスチックの製造方法に関する。
【背景技術】
【０００２】
レンズユニットでは、レンズ面を径方向外側で囲む外周部に遮光膜（遮光層）を形成して、余計な光の入射や反射を防止する構成が採用されることがある（例えば、特許文献１、２参照）。
【０００３】
レンズをレンズバレル（鏡筒）に保持させる際、レンズにフランジ部を形成させておくことで容易にレンズバレルに保持させることができる。特に、プラスチックレンズは、一方側のレンズ面を成形する固定型と、他方側のレンズ面を成形する可動型によって射出成形される。したがって、プラスチックレンズは、通常は上述のフランジ部が形成される。プラスチックレンズはこのフランジ部を利用してレンズバレルへ圧入固定させることができる。一方で、フランジ部が形成されることで、フランジ部に入射した不要な光が本来の有効な光と重なるなどしてゴーストやフレアが発生する虞がある。
【０００４】
したがって、最も物体側に配置される第１レンズのフランジ面に遮光膜としての墨塗りを施す構成がある。なお、第２レンズ以降（像側）の各レンズにもフランジ部が形成されており、第２レンズ以降のフランジ部によりゴースト等が発生する可能性はあるものの、第２レンズ以降のフランジ部に起因するゴースト等の発生を抑制するまでの要求はなかった。
【先行技術文献】
【特許文献】
【０００５】
【特許文献１】特開２０１６−１９１８０８号公報
【特許文献２】特開２０１６−１９１８０９号公報
【発明の概要】
【発明が解決しようとする課題】
【０００６】
ところで、昨今のカメラ市場では、車載用のセンシングカメラ等の需要が増してきており、より高性能なカメラが求められている。これまでは発生の阻止を求められていなかったゴースト等（画角８５°、９０°時に発生するゴースト）についても発生を抑止しなくてはならなく、このゴーストが発生する要因であると考えられる第２レンズ以降のフランジ部にも墨塗りを施す必要がある。この場合、プラスチックレンズの製造段階において、十分な精度が必要となっている。すなわち、プラスチックレンズの製造工程において、フランジ部及びフランジ部の墨塗りに対して配慮する必要が出てきた。より具体的には、プラスチックレンズの射出成形時においてより歪みの少ない射出成形技術が必要とされ、また射出成形後の墨塗り工程においてフランジ部に付した墨塗り状態を適切な品位に保つ技術が必要とされるようになった。
【０００７】
本発明は、このような課題に鑑みなされたものであって、プラスチックレンズの製造工程において、フランジ部及びフランジ部の墨塗りに対して配慮し、より歪みの少ないプラスチックレンズを製造することができ、かつ、フランジ部に付した墨塗り状態を適切な品位に保つ技術を提供することにある。
【課題を解決するための手段】
【０００８】
本発明は、鏡筒の物体側から像側に向かって圧入され保持される、固定型及び可動型を備える金型を用いて成形するプラスチックレンズの製造方法であって、前記プラスチックレンズは、レンズ面と、前記レンズ面を囲うフランジ部とを備え、前記フランジ部の像側面には、墨塗り部と、前記墨塗り部よりも外周側に形成された外周部とを備え、前記プラスチックレンズの物体側レンズ面を成形する固定型と、前記プラスチックレンズの像側レンズ面及びフランジ部を成形する可動型と、を用いてプラスチックレンズを成形するプラスチックレンズ成形工程と、前記プラスチックレンズ成形工程の後、前記可動型を可動させて型開きする型開き工程と、前記型開き工程時、または前記型開き工程後、前記可動型に配置されたエジェクタピンによって前記外周部を押し出す押し出し工程と、を備える。
金型から取り出す際に外周部（フランジ部の墨塗り部よりも外周側に形成された領域）を利用することで、エジェクタピンにより金型から押し出して金型から分離させる際にプラスチックレンズ（特にレンズ面）が歪んでしまうことを抑制できる。また、墨塗りへの影響を防止できる。例えば、エジェクタピンで押される部分には微細な凸部が形成されているため、外周部に墨塗りを施すとムラや墨の剥がれが発生する虞があるが、エジェクタピンで押される部分である外周部と、墨塗りを施す部分である墨塗り部とが、異なる領域となっているため、そのような不具合発生を防止できる。
【０００９】
また、前記可動型と前記固定型の境界は、前記プラスチックレンズの前記鏡筒へ圧入される部分よりも圧入反対側になるように設定されてもよい。
像側レンズ面及びフランジ部は、金型の可動型により成形されている。したがって、パーティングラインは、物体側に形成される。当該プラスチックレンズは、鏡筒の物体側から像側に向かって圧入されるため、パーティングラインに微細な凸部が形成されてしまった場合であっても、圧入時における凸部による不具合（レンズの歪みや軸ズレ）を抑制できる。
【００１０】
また、前記フランジ部の前記像側面において前記エジェクタピンが当接する領域は、前記フランジ部において対向する物体側面であってもよい。
エジェクタピンが当接する領域、すなわち、エジェクタピンが押す部分の反対側が物体側レンズ面ではなく、フランジ部の物体側面であるため、物体側レンズ面への悪影響を排除できる。
【発明の効果】
【００１１】
本発明によれば、フランジ部及びフランジ部の墨塗りに対して配慮し、より歪みの少ないプラスチックレンズを製造することができ、かつ、フランジ部に付した墨塗り状態を適切な品位に保つ技術を提供することができる。
【図面の簡単な説明】
【００１２】
【図１】第１の実施形態に係る、レンズユニットの全体を示した図である。
【図２】第１の実施形態に係る、レンズユニットの分解斜視図である。
【図３】第１の実施形態に係る、第２レンズの斜視図である。
【図４】第１の実施形態に係る、第２レンズの像側の面を示した図である。
【図５】第１の実施形態に係る、第２レンズのフランジ部の断面構造を示した図である。
【図６】第１の実施形態に係る、第２レンズの成形工程の概要を示した図である。
【図７】第２の実施形態に係る、第２レンズの斜視図である。
【図８】第２の実施形態に係る、第２レンズの像側の面を示した図である。
【図９】第２の実施形態に係る、像側フランジ面内周部と像側レンズ面の境界部分を拡大した図である。
【発明を実施するための形態】
【００１３】
以下、発明を実施するための形態（以下、「実施形態」という）を、図面を参照しつつ説明する。
【００１４】
＜第１の実施形態＞
図１は本実施形態に係るレンズユニット１の全体を示しており、図１（ａ）は斜視図、図１（ｂ）は正面図、図１（ｃ）は縦断面図である。図２は、レンズユニット１の分解斜視図である。
【００１５】
レンズユニット１は、車載周辺監視カメラ、監視カメラ、ドアホン等に組み込まれるレンズアッシである。なお、本発明における「物体側Ｌ１」および「像側Ｌ２」とは、光軸Ｌ方向における物体側および像側をいい、「光軸方向」とは光軸Ｌに平行する方向をいう。
【００１６】
（全体構成）
レンズユニット１は、複数のレンズからなる広角レンズ２と、広角レンズ２を収納する鏡筒３とを備える。広角レンズ２は、光軸Ｌに沿って物体側Ｌ１から像側Ｌ２に向かって密着して配置された第１レンズ２１、第２レンズ２２、第３レンズ２３、第４レンズ２４、第５レンズ２５、および第６レンズ２６の６枚のレンズにより構成される。なお、本実施形態では、第２レンズ２２と第３レンズ２３との間には、光が像側へ進入することを防止する遮光シート３６が密着して配置されている。また、第３レンズ２３と第４レンズ２４（レンズホルダ４）との間には、絞り３７が密着して配置されている。
【００１７】
広角レンズ２を構成するレンズのうち、第１レンズ２１は、最も物体側Ｌ１に配置される。第２レンズ２２は、第１レンズ２１の像側Ｌ２に位置する。第３レンズ２３は、第２レンズ２２の像側Ｌ２に位置する。第４レンズ２４は、第３レンズ２３の像側に位置する。第４レンズ２４は、樹脂製のレンズホルダ４に圧入固定され更に接着剤による補強固定された状態で鏡筒３に配置される。第５レンズ２５は、第４レンズ２４の像側Ｌ２に位置する。第６レンズ２６は、第５レンズ２５の像側Ｌ２に位置する。第５レンズ２５と第６レンズ２６は、接合レンズである。
【００１８】
第１レンズ２１には、最も物体側に位置する第１レンズ２１の物体側レンズ面が露出している場合でも第１レンズ２１の物体側レンズ面に傷が付きにくくするという観点からガラスレンズが用いられる。第２レンズ２２、第３レンズ２３、第５レンズ２５、および第６レンズ２６には、レンズの加工性および経済性に優れるという点から、プラスチックレンズが用いられる。第４レンズ２４には、レンズの面精度や温度変化に対する屈折率等の光学特性に優れるという観点からガラスレンズが用いられる。
【００１９】
なお、本実施形態におけるレンズユニット１の広角レンズ２は上記６枚のレンズにより構成されているが、レンズの枚数は限定されることはなく、また、レンズの材質についても限定されることなく、また、接合レンズを備えない構成としても良い。
【００２０】
鏡筒３は、樹脂製の円筒状の玉枠であり、広角レンズ２を構成する各レンズの外周面に沿いながら、像側に向かって内周面３２が形成されている。内周面３２には、周方向で等間隔に複数の圧入凸部３９が径内部方向に凸状（膨出した形状）で形成されている。圧入凸部３９によって、広角レンズ２を構成する第２レンズ２２、第３レンズ２３、レンズホルダ４、第５レンズ２５が、圧入凸部３９に圧入され、かつ、それらの外周面が鏡筒３の内周面３２に支持されることにより光軸Ｌ方向に位置決めされている。
【００２１】
また、第５レンズ２５における像側の面の周縁に形成された平坦部２５ａが、鏡筒３の像側において周方向内側に延びる環状の平坦部３１に載置される。また、第２レンズ２２の物体側Ｌ１の面の周縁が鏡筒３の物体側内周面の端部に設けられたカシメ部３５に係止される。
【００２２】
このことにより、第２レンズ２２、第３レンズ２３、レンズホルダ４（第４レンズ２４）、第５レンズ２５、および第６レンズ２６が、光軸Ｌ方向に位置決めされる。更に、第１レンズ２１の外周部分にＯリング５が組み込まれた後、Ｏリング５が組み込まれた第１レンズ２１が、環状の溝部３４に組み込まれる。その後、第１レンズ２１の周縁が鏡筒３の物体側端部に設けられたカシメ部３３に係止される。この工程によって、第１レンズ２１が光軸Ｌ方向に位置決めされる。
【００２３】
ここでは、第２レンズ２２、第３レンズ２３、レンズホルダ４（第４レンズ２４）、第５レンズ２５、および第６レンズ２６の挿入順の間違い防止の観点から、像側Ｌ２側のレンズほど外径が小さく、かつそれられに対応して内周面３２が狭く形成されている。また、第２レンズ２２、第３レンズ２３、レンズホルダ４（第４レンズ２４）、第５レンズ２５、および第６レンズ２６の図２の上側領域にはＤカット部２２ｘ〜２６ｘが形成されている。
【００２４】
（第２レンズの構造）
つづいて、本実施形態において特徴的な構成を有する第２レンズ２２について説明する。図３は第２レンズ２２の斜視図であって、図３（ａ）は第２レンズ２２の全体を示しており、図３（ｂ）は断面斜視図である。図４は第２レンズ２２を示す図であり、図４（ａ）は第２レンズ２２の像側Ｌ２（図１（ｃ）では第３レンズ２３側の面）の面を示した平面図である。また図４（ｂ）は、その面の一部に墨９０を塗布した構造を示している。
【００２５】
第２レンズ２２において、レンズ面は、物体側Ｌ１において凸の物体側レンズ面５１と、像側Ｌ２において凹の像側レンズ面６９とを備える。第２レンズ２２には、レンズ面の外周側を囲うフランジ部５２が設けられている。なお、フランジ部５２の一部はＤカット部２２ｘとなっている。
【００２６】
フランジ部５２において、物体側Ｌ１は物体側レンズ面５１の外周側を囲う物体側フランジ面５３となっており、像側Ｌ２は像側レンズ面６９を囲う像側フランジ面５４となっている。すなわち、フランジ部５２の物体側Ｌ１の面を「物体側フランジ面５３」と呼び、像側Ｌ２の面を「像側フランジ面５４」と呼ぶ。
【００２７】
像側フランジ面５４は、内側（すなわち像側レンズ面６９側）が段状に若干凹になっている。すなわち、像側フランジ面５４は、環状の溝形状の像側フランジ面内周部６１と、その外側の環状の像側フランジ面外周部６２（単に「外周部」ともいう）とを有する。像側フランジ面外周部６２は、後述の位置決め面６３を有する。言い換えると、フランジ部５２の像側フランジ面５４は、外周側に形成された光軸Ｌ方向に凸の位置決め面６３と、位置決め面６３よりも内周側であって位置決め面６３よりも光軸Ｌ方向（より具体的には物体側Ｌ１）に凹となる第１段部としての像側フランジ面内周部６１と、を備えている。像側フランジ面内周部６１には、墨９０が塗布されている。すなわち、像側フランジ面内周部６１には墨塗りが施されている。
【００２８】
像側フランジ面外周部６２は、第２段部としてのフランジ面本体６２ａと、フランジ面本体６２ａ上において外周を沿うように像側Ｌ２に突に設けられたボス状（または凸状）の複数の位置決め面６３を備える。位置決め面６３は、ここでは等間隔に６箇所に設けられている。言い換えると、第１段部としての像側フランジ面内周部６１に対して、その外周側に一段高くなった第２段部であるフランジ面本体６２ａが形成され、さらにフランジ面本体６２ａ上に一段高くなった位置決め面６３が形成されている。なお、Ｄカット部２２ｘの位置決め面６３は、Ｄカット部２２ｘの形状に対応して他の位置決め面６３の一部がカットされた形状となっている。
【００２９】
第２段部であるフランジ面本体６２ａにおいて、隣り合う位置決め面６３の間には、エジェクタピン当接部６４が形成されている。ここでは、エジェクタピン当接部６４は、フランジ面本体６２ａから若干ボス状（または凸状）に形成されている。ただし、位置決め面６３の突出量よりエジェクタピン当接部６４の突出量は小さい。すなわち、位置決め面６３の基準面としての機能を阻害しないようにエジェクタピン当接部６４が形成されている。図６で後述するように、エジェクタピン当接部６４は、樹脂成形時において金型７０から分離する際にエジェクタピン７４が当接する。
【００３０】
エジェクタピン当接部６４について、その物体側Ｌ１の対向位置において物体側フランジ面５３が形成されている。ここでは、エジェクタピン当接部６４の中心位置に対向する位置が物体側フランジ面５３であって物体側レンズ面５１ではないように構成されている。なお、エジェクタピン当接部６４は、上述のような凸状に明示された構造でなくてもよく、例えばエジェクタピン当接部６４が第２段部であるフランジ面本体６２ａと同一平面上であってもよいし、エジェクタピン当接部６４がフランジ面本体６２ａよりも凹状に形成されていてもよい。
【００３１】
図５は第２レンズ２２のフランジ部５２の断面構造を示す。ここでは、Ｄカット部２２ｘから対向する位置へ断面した構造である。図５（ａ）は墨９０が塗布される前の状態を示し、図５（ｂ）は墨９０が塗布された状態を示し、図５（ｃ）は図５（ａ）の像側フランジ面内周部６１を拡大して示し、図５（ｄ）は図５（ｂ）の像側レンズ面６９と像側フランジ面内周部６１の境界領域Ｙを拡大して示している。
【００３２】
像側フランジ面内周面６１は、像側フランジ面外周部６２よりも物体側Ｌ１へ若干凹となっており、図４（ｂ）や図５（ｂ）に示すように墨９０が塗布されている。墨９０を像側フランジ面内周部６１に塗布して墨塗り部とすることで、第２レンズ２２のフランジ部５２によって発生するゴーストを抑制することができる。墨９０は、墨色による光拡散防止機能とともに、墨９０により像側フランジ面内周部６１と空気の境界面をなくし内面反射率を低減する機能を果たしている。
【００３３】
さらに、レンズ側面５８には、物体側フランジ面５３側の端部近傍（ここでは、物体側フランジ面５３との境界部分）に、次の図６で説明する金型７０の可動型７１と固定型７２とのパーティング面の位置によってパーティングライン５８ａが形成される。このパーティングライン５８ａは形成されないことが理想であるが、可動型７１と固定型７２を利用したいわゆる射出成形では、微細な凸形状、つまり微細な凸部、バリが形成される。
【００３４】
ここで、レンズ側面５８は、幅方向（図示上下方向）の略中央部分から物体側フランジ面５３までの垂直部５８ｂと、略中央部分からフランジ部５２までのテーパ部５８ｃとを有する。第２レンズ２２が物体側Ｌ１側から像側Ｌ２側に向かって鏡筒３の内周面３２に圧入される際に、テーパ部５８ｃから圧入され、垂直部５８ｂの途中まで圧入される。すなわち、パーティングライン５８ａは、圧入される部分よりも圧入反対側（物体側）にある。このとき、パーティングライン５８ａが物体側フランジ面５３とレンズ側面５８の境界部分に形成されているため、圧入されることがない。すなわち、パーティングライン５８ａの圧入によって、第２レンズ２２が歪んだり、圧入方向にずれが生じたり、パーティングライン５８ａ（微細な凸部、バリ）が剥がれて塵埃となり光学性能に影響を及ぼすことを防止できる。
【００３５】
また、図５（ｃ）に示すように、像側フランジ面内周部６１には、細かな凹凸、又はシボが形成されている。特に、第２レンズ２２がプラスチックレンズの場合、墨９０を弾いて、安定しなかったり、薄くできなかったりするが、細かな凹凸によって、塗布された墨９０の流動を防止し、適切な領域に適量を塗布することができる。
【００３６】
また、主に図５（ｄ）に示すように、像側フランジ面内周部６１と像側レンズ面６９の境界部分には、像側Ｌ２側に凸状となったバリ６６が形成されることがある。バリ６６は、第２レンズ２２の成形時に形成される。
【００３７】
図６は第２レンズ２２の成形工程（断面工程図）の概要を示した図である。第２レンズ２２は、可動型７１と固定型７２を有する金型７０により樹脂成形によって製造される。図６（ａ）のプラスチックレンズ成形工程（射出成形工程）に示すように、図示右側の可動型７１と左側の固定型７２が閉じた状態で、ゲートから金型７０の内部に樹脂が注入される。
【００３８】
像側レンズ面６９および像側フランジ面５４の側が可動型７１に、物体側レンズ面５１および物体側フランジ面５３の側が固定型７２に対応する配置となっている。また、可動型７１と固定型７２の境界が第２レンズ２２のレンズ側面５８になっている。より具体的には、可動型７１と固定型７２との境界、すなわちパーティング面が、上述のように第２レンズ２２のレンズ側面５８の物体側フランジ面５３側の端部近傍に位置する。この境界によって、図６（ｃ）の押し出し工程（成形品分離工程）に示すように、第２レンズ２２のパーティングライン５８ａが形成される。また、ゲート口は、レンズ側面５８のＤカット部２２ｘの部分に位置している。
【００３９】
図６（ｂ）の型開き工程のように、樹脂が固まったタイミングで、可動型７１と固定型７２が分離する。このとき、第２レンズ２２は固定型７２から分離し、可動型７１に固定した状態となっている。その後、図６（ｃ）の押し出し工程に示すように、可動型７１に設けられたエジェクタピン７４がエジェクタピン当接部６４で第２レンズ２２を押し出し、第２レンズ２２が可動型７１から分離する。
【００４０】
このとき、エジェクタピン７４が当たる場所（すなわちエジェクタピン当接部６４）は、その対向する位置がフランジ部５２の物体側フランジ面５３となっている。したがって、エジェクタピン７４が第２レンズ２２を押し出す動作によって、レンズ面（特に物体側レンズ面５１）の形状に歪み発生等の悪影響を及ぼすことがない。
【００４１】
ところで、第２レンズ２２の樹脂成形時の金型７０を取り外す際には、より具体的には、エジェクタピン７４により可動型７１から取り外す際に、像側レンズ面６９と像側フランジ面内周部６１の境界に、上述したバリ６６が環状に形成される。このバリ６６は、像側レンズ面６９を成形する像側レンズ面成形型７８と、像側フランジ面５４等を成形する像側フランジ面成形型７７との間に、樹脂が入り込むことで形成される微細な環状凸部である。このバリ６６によって、図５（ｄ）に示すように、墨９０が塗布される際に、像側レンズ面６９へ流れること防止できる。なお、バリ６６の突出量は数μｍ程度である。また、バリ６６が形成されないように、より精度よく像側レンズ面成形型７８と像側フランジ面成形型７７の配置を工夫してもよい。
【００４２】
また、像側フランジ面内周部６１は、位置決め面６３よりも光軸Ｌ方向物体側となるように形成することで、墨塗りによる墨９０の厚みに起因して第２レンズ２２の光軸方向の位置が変わってしまうことがない。したがって、光学性能が低下してしまう虞がない。なお、墨９０の厚みは、最大３０μｍ程度である。したがって、像側フランジ面内周部６１から位置決め面６３の先端までの距離は、５０μｍ程度に設定されればよく、当然に、塗布する墨９０の厚みに応じて調整されうる。
【００４３】
以上、本実施形態の特徴を簡単に纏めると次の通りである。
金型７０から第２レンズ２２を取り出す際にフランジ部５２を利用することで、エジェクタピン７４により第２レンズ２２を金型から押し出して金型から分離させる際にプラスチックレンズである第２レンズ２２（特にレンズ面）が歪んでしまうことを抑制できる。また、墨塗りへの影響を防止できる。例えば、エジェクタピン７４で押される部分には微細な凸部が形成されているため、外周部に墨塗りを施すとムラや墨９０の剥がれが発生する虞があるが、エジェクタピン７４で押される部分である外周部と、墨塗りを施す部分である墨塗り部とが分かれているため、そのような不具合発生を防止できる。
【００４４】
また、可動型７１と固定型７２の境界は、第２レンズ２２の鏡筒３へ圧入される部分よりも圧入反対側になるように設定されている。したがって、パーティングライン５８ａは、圧入部分より物体側Ｌ１に形成される。第２レンズ２２は、鏡筒３の物体側Ｌ１から像側Ｌ２に向かって圧入されるため、パーティングライン５８ａに微細な凸部が形成されてしまった場合であっても、圧入時における凸部による不具合（第２レンズ２２の歪みや軸ズレ）を抑制できる。
【００４５】
エジェクタピン７４が当接する領域、すなわち、エジェクタピン７４が押す部分の反対側が物体側レンズ面５１ではなく、フランジ部５２の物体側フランジ面５３であるため、物体側レンズ面５１への悪影響を排除できる。
【００４６】
＜第２の実施形態＞
図７〜図９を参照して、本実施形態の第２レンズ２２ａについて説明する。本実施形態の第２レンズ２２ａでは、像側フランジ面内周部６１と像側レンズ面６９の境界部分の形状が第１の実施形態と異なる。以下では、第１の実施形態と異なる部分について主に説明し、同様の構成・機能については適宜説明を省略する。図７は第２レンズ２２ａの斜視図であって、図７（ａ）は第２レンズ２２ａの全体を示しており、図７（ｂ）は断面斜視図である。図８は第２レンズ２２ａの像側Ｌ２の面を示した平面図である。図９は像側フランジ面内周部６１と像側レンズ面６９の境界部分（図７の領域Ｚ）を拡大した図であって、図９（ａ）は墨９０を塗布した状態を示し、図９（ｂ）は第３段部６５を形成されていない構成において墨９０を塗布した状態を示している。なお、本実施形態では、上述した金型７０（特に像側レンズ面成形型７８と像側フランジ面成形型７７の配置）を精度よくしたことによって像側フランジ面内周部６１の境界にバリ６６が形成されない場合について説明する。
【００４７】
像側フランジ面内周部６１と像側レンズ面６９の境界部分には、光軸方向物体側に凹の第３段部６５が形成されている。すなわち、第３段部６５は、環状の段差が光軸方向物体側に一段下がって凹状に形成された形状となっている。より具体的には第３段部６５は、像側フランジ面内周部６１から略直角（９０度）に凹となる段差である。
【００４８】
図９（ｂ）の像側フランジ面内周部６１と像側レンズ面６９の境界部分に第３段部が形成されていない構成に比べ、図９（ａ）の第３段部６５が形成されている構成の方が像側フランジ面内周部６１と像側レンズ面６９の境界部分に角度が付いている。したがって、墨９０の表面張力が発生しやすくなり、図９（ｂ）のように像側フランジ面内周部６１に施した墨９０が像側レンズ面６９に広がってしまうこと（破線の墨９０ａ）を防止できる。
【００４９】
本発明を、実施の形態をもとに説明したが、この実施の形態は例示であり、それらの各構成要素の組み合わせ等にいろいろな変形例が可能なこと、またそうした変形例も本発明の範囲にあることは当業者に理解されるところである。
【符号の説明】
【００５０】
１  レンズユニット
２  広角レンズ
３  鏡筒
４  レンズホルダ
５  Ｏリング
２１  第１レンズ
２２、２２ａ  第２レンズ
２２ｘ〜２６ｘ  Ｄカット部
２３  第３レンズ
２４  第４レンズ
２５  第５レンズ
２６  第６レンズ
３１  配置面
３２  内周面
３３、３５  カシメ部
３４  溝部
３６  遮光シート
３７  絞り
３９  圧入凸部
５１  物体側レンズ面
５２  フランジ部
５３  物体側フランジ面
５４  像側フランジ面
５８  レンズ側面
５８ａ  パーティングライン
５８ｂ  垂直部
５８ｃ  テーパ部
６１  像側フランジ面内周部
６２  像側フランジ面外周部
６２ａ  フランジ面本体
６３  位置決め面
６４  エジェクタピン当接部
６５  第３段部
６６  バリ
６９  像側レンズ面
７０  金型
７１  可動型
７２  固定型
７４  エジェクタピン
７７  像側フランジ面成形型
７８  像側レンズ面成形型
９０、９０ａ  墨
【図１】
2019012112.tif 000003
【図２】
2019012112.tif 000004
【図３】
2019012112.tif 000005
【図４】
2019012112.tif 000006
【図５】
2019012112.tif 000007
【図６】
2019012112.tif 000008
【図７】
2019012112.tif 000009
【図８】
2019012112.tif 000010
【図９】
2019012112.tif 000011